(57)【要約】【課題】異常過熱により温度過昇防止装置が動作しても、電気ストーブ各部に変形や、絶縁劣化が発生しないようにする。【解決手段】本体ケース１内に設けたヒーターパネル４と、このヒーターパネル４の後方に設けた反射板５とを備えた電気ストーブにおいて、前記反射板５の背面に温度過昇防止装置８を設け、この温度過昇防止装置８に近接又は接触するように伝熱板９を設けこの伝熱板９の一辺をヒーターパネル４と反射板５との間の空間内に臨ませる。また、本体ケース１内に設けたヒーターパネル４と、このヒーターパネル４の後方に設けた反射板５とを備えた電気ストーブにおいて、前記反射板５に受熱孔１０を設け、この受熱孔１０を介して反射板５の背面に前記ヒーターパネル４の熱を受ける温度過昇防止装置８を設ける。【選択図】  図１
2004198059.tif 000002
【特許請求の範囲】
【請求項１】
本体ケース（１）内に設けたヒーターパネル（４）と、このヒーターパネル（４）の後方に設けた反射板（５）とを備えた電気ストーブにおいて、前記反射板（５）の背面に温度過昇防止装置（８）を設け、この温度過昇防止装置（８）に近接又は接触するように伝熱板（９）を設け、この伝熱板（９）の一辺をヒーターパネル（４）と反射板（５）との間の空間内に臨ませたことを特徴とする電気ストーブ。
【請求項２】
本体ケース（１）内に設けたヒーターパネル（４）と、このヒーターパネル（４）の後方に設けた反射板（５）とを備えた電気ストーブにおいて、前記反射板（５）に受熱孔（１０）を設け、この受熱孔（１０）を介して反射板（５）の背面に前記ヒーターパネル（４）の熱を受ける温度過昇防止装置（８）を設けたことを特徴とする電気ストーブ。
【発明の詳細な説明】
【０００１】
【発明の属する技術分野】
本発明は、採暖用の電気ストーブに関するものであり、特に可燃物で覆われた際の安全性を確保する電気ストーブの温度過昇防止装置の設置構造に関するものである。
【０００２】
【従来の技術】
従来のこの種の電気ストーブは、図３に示すような構造のものが知られている。
【０００３】
すなわち、この電気ストーブはフロントパネル２とバックパネル３にて構成される前面（図３において左側）開口部を有す本体ケース１と、この本体ケース１内に設けられたヒーターパネル４と、このヒーターパネル４の後方に設けたヒーターパネル４の熱を前面開口部に反射する反射板５と、ヒーターパネル４に接続して電力を供給する電源コード組７を備えている。
【０００４】
反射板５の背面には一定温度に到達するとヒーターパネル４への電力の供給を遮断する温度過昇防止装置８を設けていて、リード線６を介してヒーターパネル４と電源コード組７との間に接続している。また、この温度過昇防止装置８は温度が冷えると電力を再供給する自己復帰型となっている。
【０００５】
以上のような構成において、ヒーターパネル４に電力を供給することによってヒーターパネル４は発熱するが、なんらかの異常、例えばタオル等が本体ケース１に掛かった時は、ヒーターパネル４の発熱が本体ケース１の前面開口部から放熱しなくなることによりヒーターパネル４の温度が上昇し、それに伴い反射板５の温度も上昇するため、この反射板５の背面に設けられた温度過昇防止装置８の温度も上昇する。
【０００６】
そして温度過昇防止装置８の温度が一定温度に到達するとヒーターパネル４への電力の供給を遮断し、異常過熱による発煙・発火を防止する。
【０００７】
また、図４に示す構造のものも知られている。このものは前面（図４において左側）開口部を有す本体ケース４０１内に断面が放物線形状の反射板４０２を設け、この反射板４０２と本体ケース４０１の間に遮熱板４０３を設けている。
【０００８】
反射板４０２の前方には高温輻射ヒーター４０４を設けている。
【０００９】
遮熱板４０３には反射板４０２に面して温度ヒューズ４０６を設けている。
【００１０】
以上のような構成において、本体ケース４０１がタオル等の可燃物で覆われると、高温輻射ヒーター４０４の熱が前面開放部から放熱しなくなり、反射板４０２の温度が上昇し、反射板４０２に面した温度ヒューズ４０６はその輻射熱を受けて溶断し、高温輻射ヒーター４０４の電力の供給を遮断してタオル等の可燃物の発火を防ぐ。（例えば、特許文献１参照。）。
【００１１】
【特許文献１】
特開平１１−８３０３６号公報
【００１２】
【発明が解決しようとする課題】
しかしながら、上記の従来技術において、前者に示すものは本体ケース１がタオル等で覆われてヒーターパネル４の発熱が本体ケース１内部に溜まり、ヒーターパネル４と反射板５との間の空間が熱せられ、反射板５の温度上昇とともに温度過昇防止装置８も温度上昇し、ヒーターパネル４への電力を遮断する温度に達するまで加熱される異常過熱状態では、反射板５の背面に温度過昇防止装置８が取り付けられているため、反射板５によってある程度遮熱された状態となり、温度過昇防止装置８の温度上昇カーブは緩やかなものとなっている。
【００１３】
このため温度過昇防止装置８が電力を遮断するまでの時間は長いものとなり、温度過昇防止装置８が電力を遮断する状態になると、電気ストーブを構成する各部の耐熱温度を超える温度になり各部になんらかの異常、例えば樹脂部品の変形や絶縁物の劣化などが発生していた。
【００１４】
そして、温度過昇防止装置８は温度が冷えれば、通電が復帰する自己復帰型であるため、電気ストーブを再通電することが可能であり、異常過熱により各部に異常が発生した場合において使用者は温度が冷えれば再使用でき、本体ケースの変形や絶縁物の劣化等による充電部の露出や絶縁が不完全になるなどの安全性に欠ける面があった。
【００１５】
また従来技術の後者のものも、反射板４０２の後方に有る遮熱板４０３に温度ヒューズ４０６が取り付けられているため、異常過熱状態における温度は反射板４０２によってある程度遮熱された状態となり、従来技術の前者のものと同様に温度ヒューズ４０６の温度上昇カーブは緩やかなものとなっている。
【００１６】
このため温度ヒューズ４０６により電力を遮断するまでの時間は長いものとなり、温度ヒューズ４０６が動作する状態になると、樹脂部品の変形や絶縁物の劣化等の発生の恐れがあった。
【００１７】
【課題を解決するための手段】
本発明は上記の問題を解決するためになされたものであり、請求項１の発明は本体ケース内に設けたヒーターパネルと、このヒーターパネルの後方に設けた反射板とを備えた電気ストーブにおいて、前記反射板の背面に温度過昇防止装置を設け、この温度過昇防止装置に近接又は接触するように伝熱板を設け、この伝熱板の一辺をヒーターパネルと反射板との間の空間内に臨ませたものである。
【００１８】
また、請求項２の発明は、本体ケース内に設けたヒーターパネルと、このヒーターパネルの後方に設けた反射板とを備えた電気ストーブにおいて、前記反射板に受熱孔を設け、この受熱孔を介して反射板の背面に前記ヒーターパネルの熱を受ける温度過昇防止装置を設けたものである。
【００１９】
これによって、本体ケースがタオル等で覆われて異常過熱の状態になった場合、この異常過熱された温度を反射板を介さずに温度過昇防止装置が直接検知することができるため、温度過昇防止装置の動作時間を早くすることが可能になり、各部の変形や絶縁物の劣化などを防ぐことができる。
【００２０】
【発明の実施の形態】
本発明は、本体ケース内に設けたヒーターパネルと、このヒーターパネルの後方に設けた反射板とを備えた電気ストーブにおいて、前記反射板の背面に温度過昇防止装置を設け、この温度過昇防止装置に近接又は接触するように伝熱板を設け、この伝熱板の一辺をヒーターパネルと反射板との間の空間内に臨ませたものである。
【００２１】
これによって、本体ケースがタオル等で覆われてヒーターパネルの発熱が前面開口部に正常に放熱されず本体ケースの内部に溜まると、ヒーターパネルと反射板との間の空間内に臨ませた伝熱板がこの熱を直に受け、温度過昇防止装置の温度が急激に上昇するため、温度過昇防止装置が短時間で動作してヒーターパネルの電力供給を遮断し、各部の変形や絶縁物の劣化などを防ぐことができる。
【００２２】
また、本体ケース内に設けたヒーターパネルと、このヒーターパネルの後方に設けた反射板とを備えた電気ストーブにおいて、前記反射板に受熱孔を設け、この受熱孔を介して反射板の背面に前記ヒーターパネルの熱を受ける温度過昇防止装置を設けたものである。
【００２３】
これによって、本体ケースがタオル等で覆われて、ヒーターパネルの発熱が前面開口部に正常に放熱されず本体ケースの内部に溜まると、この熱を反射板に設けた受熱孔を通して温度過昇防止装置が直に受け、温度過昇防止装置の温度が急激に上昇するため、温度過昇防止装置が短時間で動作してヒーターパネルの電力供給を遮断し、各部の変形や絶縁物の劣化などを防ぐことができる。
【００２４】
【実施例】
以下、本発明の一実施例を図１、図２を参照して説明する。
【００２５】
１は前面（図１の左側）開口の本体ケースであり、樹脂成形されたフロントパネル２とバックパネル３より形成される。
【００２６】
本体ケース１内の前面開口側には、電力供給により発熱するヒーターパネル４が設けられていて、ヒーターパネル４の後方にはヒーターパネル４より発せられた熱を前面開口部へ反射するための反射板５が設けられている。
【００２７】
ヒーターパネル４には、背面に電源コード組７より電力供給を受けるリード線６が設けられていて、このリード線６と電源コード組７の接続間には一定温度に到達するとヒーターパネル４への電力供給を遮断する温度過昇防止装置８が２個設けられている。
【００２８】
そして一方の温度過昇防止装置８は反射板５の背面に設けられていて、この温度過昇防止装置８には近接又は接触するように熱伝導の良好なアルミ板等よりなる伝熱板９が設けられている。
【００２９】
また伝熱板９はＬ字型の形状であり、一辺は反射板５の背面に寝かすように取り付けられ、もう一辺は反射板５に開けられた開口部を介してヒーターパネル４と反射板５との間の空間内に臨ませている。
【００３０】
もう一方の温度過昇防止装置８は反射板５に設けられた受熱孔１０を介して反射板５の背面にヒーターパネル４の熱を受けるように設けられている。
【００３１】
次に上記構成における作用について説明する。
【００３２】
通電によりヒーターパネル４へ電力が供給され発熱すると、この熱は反射板５により本体ケース１の前面開口部から放熱される。
【００３３】
異常過熱を起こさない正常な状態においては、温度過昇防止装置８の温度は電力を遮断する一定温度より充分低い温度までしか上昇しない。
【００３４】
タオル等が本体ケース１に掛かった時などの異常過熱を引き起こす状態においては、本体ケース１の前面開口部から放熱ができなくなるため、ヒーターパネル４の発熱は本体ケース１内に溜まる。そして時間の経過に伴い、温度上昇が高まり、特にヒーターパネル４の周辺の温度が上昇し、ついには温度過昇防止装置８が電力を遮断する温度まで到達することとなる。
【００３５】
その際、一方の温度過昇防止装置８はヒーターパネル４と反射板５の間に溜まった熱を直に受ける伝熱板９からの熱を主に受けて急激に温度上昇し、ヒーターパネル４の電力供給を遮断する動作を行う。
【００３６】
また、他方の温度過昇防止装置８は反射板５に設けた受熱孔１０により反射板５の遮熱を介さず、ヒーターパネル４の熱を直に受けて急激に温度上昇し、ヒーターパネル４の電力供給を遮断する動作を行う。
【００３７】
図２は異常過熱時における温度過昇防止装置８の温度上昇カーブの一例であり、ヒーターパネル４の通電を開始してから温度過昇防止装置８が動作する１００℃まで温度上昇する時間は、本実施例では８分と短くすることができるが、図３に示す従来のものでは１０分と長いものとなっている。
【００３８】
このように異常加熱時における温度過昇防止装置８の温度上昇カーブを急激にすることにより、温度過昇防止装置８が動作してヒーターパネル４の電力供給を遮断するまでの時間が短縮されるため、電気ストーブ各部の異常温度上昇を低下させることができ、各部の樹脂部品の変形や絶縁物の劣化等を防ぐことができる。
【００３９】
なお、本実施例では温度過昇防止装置８を本体ケース１内に２個設置しているが、伝熱板９を設けた温度過昇防止装置８の１個だけでもよく、また受熱孔１０を介して設けた温度過昇防止装置８の１個だけでもよい。
【００４０】
また、本実施例ではヒーターパネル４はパネル状の形状をしているが、輻射熱を発生する電気ヒーターであればどの様な形状であってもかまわない。
【００４１】
【発明の効果】
以上説明したように本発明によれば、本体ケースにタオルなどが掛かり、ヒーターパネルの放熱が妨げられ異常過熱の状態になっても、反射板を介さずに異常過熱された熱を温度過昇防止装置が直接検知できるようにすることで、温度過昇防止装置の動作時間を早くすることが可能となり、各部の異常温度上昇を低下させることができ、各部の変形や絶縁物劣化などを防ぐことができる。これによって、電気ストーブ各部に異常発生は無くなり、使用者の感電などの恐れを招く電気ストーブの構成部材の異常状態を防ぐことができる安全性を高めた電気ストーブを提供することができる。
【図面の簡単な説明】
【図１】本発明の一実施例を示す電気ストーブの概略縦断面図。
【図２】本発明の一実施例と従来例の温度過昇防止装置の温度上昇カーブ概略図。
【図３】従来の電気ストーブの概略縦断面図。
【図４】従来の電気ストーブの概略縦断面図。
【符号の説明】
１  本体ケース
４  ヒーターパネル
５  反射板
８  温度過昇防止装置
９  伝熱板
１０  受熱孔
【図１】
2004198059.tif 000003
【図２】
2004198059.tif 000004
【図３】
2004198059.tif 000005
【図４】
2004198059.tif 000006